【手続補正書】
【提出日】令和1年9月3日(2019.9.3)
【手続補正１】
【補正対象書類名】特許請求の範囲
【補正対象項目名】全文
【補正方法】変更
【補正の内容】
【特許請求の範囲】
【請求項１】
着座者がシートに着座した際に変化する対象値を検出する検出器と、
該検出器が前記対象値を検出した際に出力する信号の伝送路と、
前記シート内に設けられたパッド材において、該パッド材の厚み方向の一端から他端に亘って形成された貫通孔と、を備え、
前記伝送路が前記貫通孔内を通過するように設けられ、
前記伝送路を保持する保持フィルムを更に備え、
前記検出器は、複数の圧力センサから構成され、
前記保持フィルムは、前記複数の圧力センサの間を連絡するために、シート幅方向に沿って延出する左右の第１延出部分と、該左右の第１延出部分よりもシート幅方向において内側に位置し、かつ、シート前後方向で異なる位置に配置され、シート幅方向に沿って延出する第２延出部分と、前記左右の第１延出部分及び前記第２延出部分を連結するためにシート前後方向に延出する部分と、を有し、
前記左右の第１延出部分は、前記第２延出部分を間に挟むように設けられ、
前記貫通孔は、前記パッド材の表面において前記左右の第１延出部分のシート幅方向の間に設けられたスペースに形成されていることを特徴とする検出器付きのシート。
【請求項２】
前記シートは、前記パッド材を表皮材で覆うことで構成され、
前記パッド材の表面には、前記表皮材を吊り込みための吊り込み溝がシート幅方向に沿って長く形成され、かつ、シート前後方向に間隔を空けて複数設けられ、
前記貫通孔は、前記複数の吊り込み溝とは独立して形成され、
前記複数の圧力センサは、シート前後方向において前記複数の吊り込み溝の間に配置されていることを特徴とする請求項１に記載の検出器付きのシート。
【請求項３】
前記貫通孔は、シート前後方向において前記吊り込み溝よりも幅広となるように形成されていることを特徴とする請求項２に記載の検出器付きのシート。
【請求項４】
前記圧力センサからの出力信号を前記伝送路を通じて受信する信号受信部をさらに備え、
該信号受信部は、前記シートにおいて前記パッド材を挟んで前記圧力センサとは反対側に配置されており、
前記伝送路のうち、前記貫通孔を通過する部分は、前記圧力センサから前記吊り込み溝側とは反対側に向かって延出し、前記信号受信部と接続されていることを特徴とする請求項２又は３に記載の検出器付きのシート。
【請求項５】
前記貫通孔における下端部の開口孔は、前記貫通孔における上端部の開口孔よりもシート前後方向において幅広となっていることを特徴とする請求項４に記載の検出器付きのシート。
【請求項６】
前記貫通孔と、前記保持フィルムのうち前記左右の第１延出部分とが、シート幅方向で重なる位置に配置されていることを特徴とする請求項１乃至５のいずれか１項に記載の検出器付きのシート。
【請求項７】
前記吊り込み溝と前記貫通孔のシート前後方向の間には、前記パッド材の一部が配置されており、
該パッド材の一部におけるシート前後方向の厚さが、前記吊り込み溝のシート前後方向の厚さよりも大きいことを特徴とする請求項２乃至６のいずれか１項に記載の検出器付きのシート。
【請求項８】
前記伝送路は、前記検出器から延出した部分を形成する第１伝送路形成部と、前記信号を受信する信号受信部から延出した部分を形成する第２伝送路形成部と、を有し、
前記伝送路のうち、前記第１伝送路形成部がなす部分と前記第２伝送路形成部がなす部分との接続部分が折れ曲がるのを規制する曲げ規制部材をさらに備えていることを特徴とする請求項１乃至７のいずれか１項に記載の検出器付きのシート。
【請求項９】
前記検出器は、複数の圧力センサから構成され、
シート幅方向に間隔を空けて配置された第１圧力センサ及び第２圧力センサと、
前記第１圧力センサ及び第２圧力センサよりも後方に配置され、シート幅方向に間隔を空けて配置された第３圧力センサ、第４圧力センサ、第５圧力センサ及び第６圧力センサと、を有しており、
前記第５圧力センサ及び第６圧力センサは、シート幅方向において前記第３圧力センサ及び第４圧力センサよりも外側に配置されており、
前記全ての圧力センサが、シート前後方向において前記複数の吊り込み溝の間に配置されていることを特徴とする請求項２に記載の検出器付きのシート。
【手続補正２】
【補正対象書類名】明細書
【補正対象項目名】０００４
【補正方法】変更
【補正の内容】
【０００４】
ところで、上記の伝送路については、圧力センサから延出している部分と、信号受信部から延出している部分と、に分かれている場合がある。かかる場合には、伝送路を構成する上記２つの部分を接続する接続部分が存在することになる。この接続部分については、周辺部材等と干渉して損傷するのを避ける目的から上記の貫通孔内に配置されることが考えられる。ただし、貫通孔内に接続部分を配置したとしても、貫通孔周辺に比較的大きな荷重が掛かったときには当該荷重が接続部分まで伝達される。
【手続補正３】
【補正対象書類名】明細書
【補正対象項目名】０００５
【補正方法】変更
【補正の内容】
【０００５】
そこで、本発明の目的は、検出器から出力された信号の伝送路中、接続部分をパッド材に設けられた貫通孔内に配置した検出器付きのシートを提供することである。
【手続補正４】
【補正対象書類名】明細書
【補正対象項目名】０００６
【補正方法】変更
【補正の内容】
【０００６】
前記課題は、本発明の検出器付きのシートによれば、着座者がシートに着座した際に変化する対象値を検出する検出器と、該検出器が前記対象値を検出した際に出力する信号の伝送路と、前記シート内に設けられたパッド材において、該パッド材の厚み方向の一端から他端に亘って形成された貫通孔と、を備え、前記伝送路が前記貫通孔内を通過するように設けられ、前記伝送路を保持する保持フィルムを更に備え、前記検出器は、複数の圧力センサから構成され、前記保持フィルムは、前記複数の圧力センサの間を連絡するために、シート幅方向に沿って延出する左右の第１延出部分と、該左右の第１延出部分よりもシート幅方向において内側に位置し、かつ、シート前後方向で異なる位置に配置され、シート幅方向に沿って延出する第２延出部分と、前記左右の第１延出部分及び前記第２延出部分を連結するためにシート前後方向に延出する部分と、を有し、前記左右の第１延出部分は、前記第２延出部分を間に挟むように設けられ、前記貫通孔は、前記パッド材の表面において前記左右の第１延出部分のシート幅方向の間に設けられたスペースに形成されていることにより解決される。
【手続補正５】
【補正対象書類名】明細書
【補正対象項目名】０００７
【補正方法】変更
【補正の内容】
【０００７】
上記のように構成された本発明の検出器付きのシートであれば、検出器から出力された信号の伝送路中、接続部分をパッド材に設けられた貫通孔内に配置した検出器付きのシートを実現することができる。
また、貫通孔をコンパクトに形成することができる。
【手続補正６】
【補正対象書類名】明細書
【補正対象項目名】０００８
【補正方法】変更
【補正の内容】
【０００８】
また、上記の検出器付きのシートにおいて、前記シートは、前記パッド材を表皮材で覆うことで構成され、前記パッド材の表面には、前記表皮材を吊り込みための吊り込み溝がシート幅方向に沿って長く形成され、かつ、シート前後方向に間隔を空けて複数設けられ、前記貫通孔は、前記複数の吊り込み溝とは独立して形成され、前記複数の圧力センサは、シート前後方向において前記複数の吊り込み溝の間に配置されているとよい。
上記の構成では、表皮材の吊り込み作業がし易くなる。
【手続補正７】
【補正対象書類名】明細書
【補正対象項目名】０００９
【補正方法】変更
【補正の内容】
【０００９】
また、上記の検出器付きのシートにおいて、前記貫通孔は、シート前後方向において前記吊り込み溝よりも幅広となるように形成されているとよい。
上記の構成では、伝送路の配策性が向上する。
【手続補正８】
【補正対象書類名】明細書
【補正対象項目名】００１０
【補正方法】変更
【補正の内容】
【００１０】
また、上記の検出器付きのシートにおいて、前記圧力センサからの出力信号を前記伝送路を通じて受信する信号受信部をさらに備え、該信号受信部は、前記シートにおいて前記パッド材を挟んで前記圧力センサとは反対側に配置されており、前記伝送路のうち、前記貫通孔を通過する部分は、前記圧力センサから前記吊り込み溝側とは反対側に向かって延出し、前記信号受信部と接続されているとよい。
上記の構成では、表皮材の吊り込み作業がし易くなる。
【手続補正９】
【補正対象書類名】明細書
【補正対象項目名】００１１
【補正方法】変更
【補正の内容】
【００１１】
また、上記の検出器付きのシートにおいて、前記貫通孔における下端部の開口孔は、前記貫通孔における上端部の開口孔よりもシート前後方向において幅広となっているとよい。
上記の構成では、伝送路の配策性が向上する。
【手続補正１０】
【補正対象書類名】明細書
【補正対象項目名】００１２
【補正方法】変更
【補正の内容】
【００１２】
また、上記の検出器付きのシートにおいて、前記貫通孔と、前記保持フィルムのうち前記左右の第１延出部分とが、シート幅方向で重なる位置に配置されているとよい。
上記の構成では、貫通孔と圧力センサを前後方向にコンパクトに配置することができる。
【手続補正１１】
【補正対象書類名】明細書
【補正対象項目名】００１３
【補正方法】変更
【補正の内容】
【００１３】
また、上記の検出器付きのシートにおいて、前記吊り込み溝と前記貫通孔のシート前後方向の間には、前記パッド材の一部が配置されており、該パッド材の一部におけるシート前後方向の厚さが、前記吊り込み溝のシート前後方向の厚さよりも大きいとよい。
【手続補正１２】
【補正対象書類名】明細書
【補正対象項目名】００１４
【補正方法】変更
【補正の内容】
【００１４】
また、上記の検出器付きのシートにおいて、前記伝送路は、前記検出器から延出した部分を形成する第１伝送路形成部と、前記信号を受信する信号受信部から延出した部分を形成する第２伝送路形成部と、を有し、前記伝送路のうち、前記第１伝送路形成部がなす部分と前記第２伝送路形成部がなす部分との接続部分が折れ曲がるのを規制する曲げ規制部材をさらに備えているとよい。
上記の構成では、伝送路のうち、検出器から延出した部分と信号受信部から延出した部分との接続部分が折れ曲がるのを、曲げ規制部材によって規制する。また、曲げ規制部材は、パッド材に設けられた貫通孔に挿入されることになっている。これにより、上記の接続部分は、折れ曲がらないように曲げ規制部材に規制された状態で貫通孔内に配置されるようになる。
【手続補正１３】
【補正対象書類名】明細書
【補正対象項目名】００１５
【補正方法】変更
【補正の内容】
【００１５】
また、上記の検出器付きのシートにおいて、前記検出器は、複数の圧力センサから構成され、シート幅方向に間隔を空けて配置された第１圧力センサ及び第２圧力センサと、前記第１圧力センサ及び第２圧力センサよりも後方に配置され、シート幅方向に間隔を空けて配置された第３圧力センサ、第４圧力センサ、第５圧力センサ及び第６圧力センサと、を有しており、前記第５圧力センサ及び第６圧力センサは、シート幅方向において前記第３圧力センサ及び第４圧力センサよりも外側に配置されており、前記全ての圧力センサが、シート前後方向において前記複数の吊り込み溝の間に配置されているとよい。
【手続補正１４】
【補正対象書類名】明細書
【補正対象項目名】００１６
【補正方法】変更
【補正の内容】
【００１６】
本発明によれば、検出器から出力された信号の伝送路中、接続部分をパッド材にコンパクトに設けられた貫通孔内に配置した検出器付きのシートを実現することができる。
また、本発明によれば、検出器から出力される信号の伝送路のうち、検出器から延出した部分と信号受信部から延出した部分との接続部分を、パッド材に設けられた貫通孔内に配置し、また、当該接続部分の折れ曲がりを曲げ規制部材によって規制することが可能となる。
また、本発明によれば、より簡単な構成にて、接続部分の折れ曲がりを規制することが可能となる。
また、本発明によれば、締結部材及び各伝送路形成部の端部を曲げ規制部材の外表面上に固定する際、締結部材や各伝送路形成部の端部に損傷が生じるのを抑制することが可能となる。
また、本発明によれば、締結部材及び各伝送路形成部の端部を曲げ規制部材の外表面上に固定することが容易になる。
また、本発明によれば、第１部分の位置ずれを抑えながら、第１部分を曲げ規制部材に良好に巻き付けることが可能となる。
また、本発明によれば、曲げ規制部材を貫通孔内に収め易くなり、曲げ規制部材が貫通孔から突出した場合に生じ得る不具合、例えば、シート着座時に異物感を与えてしまうのを抑制することが可能となる。
また、本発明によれば、シート着座時に着座者に異物感を与えてしまうのを、より一層効果的に抑制することが可能となる。
また、本発明によれば、保持フィルムの、第１検出器及び第２検出器の間に挟まれた部分において、幅方向内側に位置する第２延出部分を後方にオフセットして、貫通孔を形成するためのスペースを適切に確保することが可能となる。
また、本発明によれば、第２延出部分を後方にオフセットすることで確保されたスペースをより有効に活用することが可能となる。